【手続補正書】
【提出日】平成26年11月28日(2014.11.28)
【手続補正１】
【補正対象書類名】明細書
【補正対象項目名】０００６
【補正方法】変更
【補正の内容】
【０００６】
上述した課題を解決するために本発明の一つの態様は、
撮影範囲の異なる複数の撮像手段によって撮影された画像データを処理する画像処理装置であって、
前記複数の撮像手段によって個別に同時撮影された各系統の画像データを逐次それぞれ取得する取得手段と、
前記複数の撮像手段によって個別に同時撮影された各系統の画像データを、前記取得手段が画像データを取得する間隔とは異なる間隔でそれぞれ解析する解析手段と、
前記取得手段によって逐次取得される同時撮影された各系統の画像データの中から、前記解析手段により前記取得間隔とは異なる間隔で解析された結果に基づいて、前記個別に同時撮影された各系統の画像データの中から画像内に特定被写体が含まれている画像データを前記取得間隔とは異なる間隔で選択して画像切り換えを行う切換手段と、
前記切換手段により前記取得間隔とは異なる間隔で切り換えられた各系統の画像データを時系列に並べる編成処理を行う編成手段と、
を備えることを特徴とする画像処理装置である。
【手続補正２】
【補正対象書類名】明細書
【補正対象項目名】０００７
【補正方法】変更
【補正の内容】
【０００７】
また、上述した課題を解決するために本発明の他の態様は、
撮影範囲の異なる複数の撮像手段によって個別に同時撮影された各系統の画像データを  撮影範囲の異なる複数の撮像手段によって個別に同時撮影された各系統の画像データを逐次それぞれ取得する処理と、
前記個別に同時撮影された各系統の画像データを、前記画像データを取得する間隔とは異なる間隔でそれぞれ解析する処理と、
前記逐次取得される同時撮影された各系統の画像データの中から、前記取得間隔とは異なる間隔で解析された結果に基づいて、前記個別に同時撮影された各系統の画像データの中から画像内に特定被写体が含まれている画像データを選択して画像切り換えを行う処理と、
前記前記取得間隔とは異なる間隔で切り換えられた各系統の画像データを時系列に並べる編成処理と、
を備えることを特徴とする画像処理方法である。
【手続補正３】
【補正対象書類名】明細書
【補正対象項目名】０００８
【補正方法】変更
【補正の内容】
【０００８】
また、上述した課題を解決するために本発明の他の態様は、
コンピュータに対して、
撮影範囲の異なる複数の撮像手段によって個別に同時撮影された各系統の画像データを
逐次それぞれ取得する機能と、
前記個別に同時撮影された各系統の画像データを、前記画像データを取得する間隔とは異なる間隔でそれぞれ解析する機能と、
前記逐次取得される同時撮影された各系統の画像データの中から、前記取得間隔とは異なる間隔で解析された結果に基づいて、前記個別に同時撮影された各系統の画像データの中から画像内に特定被写体が含まれている画像データを選択して画像切り換えを行う機能と、
前記前記取得間隔とは異なる間隔で切り換えられた各系統の画像データを時系列に並べる編成処理を行う機能と、
を実現させるためのプログラムである。
【手続補正４】
【補正対象書類名】明細書
【補正対象項目名】０００９
【補正方法】変更
【補正の内容】
【０００９】
更に、上述した課題を解決するために本発明の他の態様は、
撮影範囲の異なる複数の撮像装置によって撮影された画像データを処理する画像処理システムであって、
前記複数の撮像装置によって個別に同時撮影された各系統の画像データを逐次それぞれ取得する取得手段と、
前記複数の撮像手段によって個別に同時撮影された各系統の画像データを、前記取得手段が画像データを取得する間隔とは異なる間隔でそれぞれ解析する解析手段と、
前記取得手段によって逐次取得される同時撮影された各系統の画像データの中から、前記解析手段により前記取得間隔とは異なる間隔で解析された結果に基づいて、前記個別に同時撮影された各系統の画像データの中から画像内に特定被写体が含まれている画像データを前記取得間隔とは異なる間隔で選択して画像切り換えを行う切換手段と、
前記切換手段により前記取得間隔とは異なる間隔で切り換えられた各系統の画像データを時系列に並べる編成処理を行う編成手段と、
を備えることを特徴とする画像処理システムである。
【手続補正５】
【補正対象書類名】特許請求の範囲
【補正対象項目名】全文
【補正方法】変更
【補正の内容】
【特許請求の範囲】
【請求項１】
撮影範囲の異なる複数の撮像手段によって撮影された画像データを処理する画像処理装置であって、
前記複数の撮像手段によって個別に同時撮影された各系統の画像データを逐次それぞれ取得する取得手段と、
前記複数の撮像手段によって個別に同時撮影された各系統の画像データを、前記取得手段が画像データを取得する間隔とは異なる間隔でそれぞれ解析する解析手段と、
前記取得手段によって逐次取得される同時撮影された各系統の画像データの中から、前記解析手段により前記取得間隔とは異なる間隔で解析された結果に基づいて、前記個別に同時撮影された各系統の画像データの中から画像内に特定被写体が含まれている画像データを前記取得間隔とは異なる間隔で選択して画像切り換えを行う切換手段と、
前記切換手段により前記取得間隔とは異なる間隔で切り換えられた各系統の画像データを時系列に並べる編成処理を行う編成手段と、
を備えることを特徴とする画像処理装置。
【請求項２】
前記切換手段は、前記個別に同時撮影された各系統の画像データの中で前記特定被写体が含まれている画像が存在しない場合に、予め設定されている優先順位の高い画像データを選択する、
ようにしたことを特徴とする請求項１記載の画像処理装置。
【請求項３】
前記切換手段は、前記個別に同時撮影された各系統の画像データの中で前記特定被写体が含まれている画像が複数存在している場合に、その特定被写体の占有面積の大きい方の画像データを選択する、
ようにしたことを特徴とする請求項１又は２記載の画像処理装置。
【請求項４】
前記切換手段は、前記特定被写体が含まれている画像が複数存在している場合に、その複数の画像データを同時に選択し、
前記切換手段によって複数の画像が同時に選択された場合に、それらの画像内の特定被写体同士を並べた１枚の合成画像データを生成する合成手段を更に備え、
前記編成手段は、前記合成手段により生成された合成画像データを前記切換手段により切り換えられた画像として時系列に並べる編成処理を行う、
ようにしたことを特徴とする請求項１又は２記載の画像処理装置。
【請求項５】
前記解析手段は、前記複数の撮像手段により個別に撮影された各系統の画像データを解析する場合に、同一系統の前後の画像データを比較することによって前記特定被写体の変化量を解析し、
前記切換手段は、前記解析手段による解析結果、特定被写体の変化量に基づいて画像データを選択する、
ようにしたことを特徴とする請求項１又は２記載の画像処理装置。
【請求項６】
前記解析手段による解析結果に基づいて画像内の特定被写体を認識する認識手段を更に備え、
前記切換手段は、前記認識手段によって認識された特定被写体が含まれている画像データを選択する、
ようにしたことを特徴とする請求項１又は２記載の画像処理装置。
【請求項７】
前記解析手段による解析結果に基づいて画像内の特定被写体を認識する認識手段と、
前記特定被写体を任意に指定する被写体指定手段と、
を更に備え、
前記切換手段は、前記認識手段によって認識された特定被写体が前記被写体指定手段により指定された特定被写体の場合に、その指定された特定被写体が含まれている画像データを選択する、
ようにしたことを特徴とする請求項１又は２に記載の画像処理装置。
【請求項８】
撮影範囲の異なる複数の撮像手段によって撮影された画像データを処理する画像処理装置であって、
前記複数の撮像手段によって個別に同時撮影された各系統の画像データをそれぞれ取得する取得手段と、
前記複数の撮像手段によって個別に同時撮影された各系統の画像データをそれぞれ解析する解析手段と、
前記解析手段による解析結果に基づいて画像内の特定被写体を認識する認識手段と、
複数の特定被写体の行動計画を順序付けた行動計画情報を解読しながらその計画進行に合わせて行動する特定被写体を順次指定する被写体指定手段と、
前記認識手段によって認識された特定被写体が前記被写体指定手段により指定された特定被写体の場合に、その指定特定被写体が含まれている画像データを選択して画像切り換えを行う切換手段と、
前記切換手段により逐次切り換えられた各系統の画像データを時系列に並べる編成処理
を行う編成手段と、
を備えることを特徴とする画像処理装置。
【請求項９】
撮影範囲の異なる複数の撮像手段によって撮影された画像データを処理する画像処理装置であって、
前記複数の撮像手段によって個別に同時撮影された各系統の画像データをそれぞれ取得する取得手段と、
前記複数の撮像手段と特定被写体との対応関係を撮影開始に先立って設定する設定手段と、
複数の特定被写体の行動計画を順序付けた行動計画情報を解読しながらその計画進行に合わせて行動する特定被写体を順次指定する被写体指定手段と、
前記取得手段により取得される同時撮影された各系統の画像データの中から、前記設定手段によって設定された対応関係を参照し、前記被写体指定手段により指定された特定被写体を撮影する前記撮像手段からの画像データを選択して画像切り換えを行う切換手段と、
前記切換手段により切り換えられた各系統の画像データを時系列に並べる編成処理を行う編成手段と、
を備えることを特徴とする画像処理装置。
【請求項１０】
前記取得手段により取得される同時撮影された各系統の画像データを同期して記憶する第一の画像記憶手段を更に備え、
前記切換手段は、画像データの再生時に前記第一の画像記憶手段に記憶されている各系統の画像データの中からいずれかの画像データを選択し、
前記編成手段は、画像データの再生時に前記切換手段により切り換えられた各系統の画像データを時系列に並べる編成処理を行う、
ようにしたことを特徴とする請求項１〜請求項９のいずれかに記載の画像処理装置。
【請求項１１】
前記第一の画像記憶手段は、前記切換手段により切り換えられた各系統の画像データを一つの画像ファイルとして順次記憶する、
ようにしたことを特徴とする請求項１０に記載の画像処理装置。
【請求項１２】
前記第一の画像記憶手段は、前記切換手段により切り換えられた各系統の画像データを別々の画像ファイルとして順次記憶すると共に、前記各画像ファイル内の画像同士を同期させるための同期用ファイルを含めて記憶する、
ようにしたことを特徴とする請求項１０に記載の画像処理装置。
【請求項１３】
前記編成手段により時系列に並べられた各系統の画像データを順次出力する画像出力手段を更に備える、
ようにしたことを特徴とする請求項１〜請求項１２のいずれかに記載の画像処理装置。
【請求項１４】
前記複数の撮像手段による撮影時に、前記編成手段により時系列に並べられた各画像データを記憶する第二の画像記憶手段を更に備える、
ようにしたことを特徴とする請求項１〜請求項１３のいずれかに記載の画像処理装置。
【請求項１５】
前記複数の撮像手段の画角及び撮影方向は、所定の撮影対象エリアを分担して網羅するように設定されている、
ことを特徴とする請求項１〜請求項１４のいずれかに記載の画像処理装置。
【請求項１６】
前記複数の撮像手段は、環状、円弧状、直線状のうち、少なくともそのいずれかの状態で配置されている、
ことを特徴とする請求項１５に記載の画像処理装置。
【請求項１７】
前記複数の撮像手段は、それらにより撮影された画像同士が重ならないような位置に整列配置されている、
ことを特徴とする請求項１５に記載の画像処理装置。
【請求項１８】
撮影範囲の異なる複数の撮像手段によって個別に同時撮影された各系統の画像データを逐次それぞれ取得する処理と、
前記個別に同時撮影された各系統の画像データを、前記画像データを取得する間隔とは異なる間隔でそれぞれ解析する処理と、
前記逐次取得される同時撮影された各系統の画像データの中から、前記取得間隔とは異なる間隔で解析された結果に基づいて、前記個別に同時撮影された各系統の画像データの中から画像内に特定被写体が含まれている画像データを選択して画像切り換えを行う処理と、
前記前記取得間隔とは異なる間隔で切り換えられた各系統の画像データを時系列に並べる編成処理と、
を備えることを特徴とする画像処理方法。
【請求項１９】
コンピュータに対して、
撮影範囲の異なる複数の撮像手段によって個別に同時撮影された各系統の画像データを
逐次それぞれ取得する機能と、
前記個別に同時撮影された各系統の画像データを、前記画像データを取得する間隔とは異なる間隔でそれぞれ解析する機能と、
前記逐次取得される同時撮影された各系統の画像データの中から、前記取得間隔とは異なる間隔で解析された結果に基づいて、前記個別に同時撮影された各系統の画像データの中から画像内に特定被写体が含まれている画像データを選択して画像切り換えを行う機能と、
前記前記取得間隔とは異なる間隔で切り換えられた各系統の画像データを時系列に並べる編成処理を行う機能と、
を実現させるためのプログラム。
【請求項２０】
撮影範囲の異なる複数の撮像装置によって撮影された画像データを処理する画像処理システムであって、
前記複数の撮像装置によって個別に同時撮影された各系統の画像データを逐次それぞれ取得する取得手段と、
前記複数の撮像手段によって個別に同時撮影された各系統の画像データを、前記取得手段が画像データを取得する間隔とは異なる間隔でそれぞれ解析する解析手段と、
前記取得手段によって逐次取得される同時撮影された各系統の画像データの中から、前記解析手段により前記取得間隔とは異なる間隔で解析された結果に基づいて、前記個別に同時撮影された各系統の画像データの中から画像内に特定被写体が含まれている画像データを前記取得間隔とは異なる間隔で選択して画像切り換えを行う切換手段と、
前記切換手段により前記取得間隔とは異なる間隔で切り換えられた各系統の画像データを時系列に並べる編成処理を行う編成手段と、
を備えることを特徴とする画像処理システム。